(57)【特許請求の範囲】
【請求項１】
左右側板、底板、天板、背板を備えて前面を開口し、電気機器を収納可能とした箱本体と、該箱本体の前面開口部に開閉可能に設けた扉とを有する電気機器収納箱であって、
前記左右側板、底板、天板、背板の各板体は、隣接する板体と連結するための係止手段を有し、当該係止手段を、連結する一方の板体に設けられ、係止凹部を有する第１係止手段と、連結する他方の板体に設けられ、前記係止凹部に挿入する係止凸部を有する第２係止手段とで構成すると共に、双方の係止手段を、板体連結辺の略全長に形成し、
前記係止凹部、係止凸部の少なくとも一方に弾性を持たせて弾性作用により挿脱可能に係止することを特徴とする電気機器収納箱。
【請求項２】
第１係止手段は、第２係止手段を挿入する開口部を備えた断面コ字状の枠体と、前記開口部から枠体内部方向に断面Ｓ字状に延設した第１弾性片とを有し、
第２係止手段は、前記開口部に挿入する挿入片と、該挿入片の先端から折り返して挿入片基部に向けて前記第１弾性片に係合するよう曲面を設けた第２弾性片とを有して成る請求項１記載の電気機器収納箱。
【請求項３】
背板と左右側板との連結部は、背板に第１係止手段を設け、側板に第２係止手段を設けて成り、第１係止手段は、背板に平行な側方に向けて開口部を有するよう形成し、第２係止手段は、側板端部を直角に折り曲げて側方に向けて形成した請求項２記載の電気機器収納箱。
【発明の詳細な説明】
【技術分野】
【０００１】
本発明は、電気機器や電子機器を収納する電気機器収納箱に関し、特に組み立て及び分解が可能な電気機器収納箱に関する。
【背景技術】
【０００２】
配電用の電気機器を収納したり通信機器等の電子機器を収納する従来の電気機器収納箱は、アングル枠等を溶接接続してフレームを形成し、その周囲各面に閉塞板を溶接やネジ止めにより取り付けて形成したり、金属板を折り曲げて背板及び側板等を連続形成し、天板や底板等をその金属板に溶接等により取り付けてフレームレスで形成していた。
【０００３】
しかし、上記フレーム構造或いはフレームレス構造のものは、何れも組み立てた状態で工場出荷され、完成した状態で保管や運搬が行われる。そのため、保管のために大きなスペースが必要であったし、運搬する際も効率が悪く一度に多くの収納箱を運搬することができなかった。
そのため、特許文献１に開示されているような収納箱が提案されている。これは、個々の板体の端部に折り曲げ面を設け、この折り曲げ面同士を螺着して連結して収納箱を形成する構成であり、現場での組み立てが可能であるため、各板を重ねて保管や運搬を行うことができ、保管のスペースが僅かで済むし、運搬のコストも軽減できる。
【０００４】
【特許文献１】特開２０００−１５２４３０号公報
【発明の開示】
【発明が解決しようとする課題】
【０００５】
しかしながら、上記特許文献１の構成は、分解した状態で運搬できるが、その場合設置現場での螺着組立作業が必要であり、設置作業に多くの時間が必要であったし、作業者への負担が大きかった。また分解も可能であるが、やはり螺着部位の取り外し作業が面倒であり容易ではなかった。
そこで、本発明はこのような問題点に鑑み、螺着作業を必要とせず、組立及び分解が容易な電気機器収納箱を提供することを目的とする。
【課題を解決するための手段】
【０００６】
上記課題を解決する為に、請求項１の発明は、左右側板、底板、天板、背板を備えて前面を開口し、電気機器を収納可能とした箱本体と、該箱本体の前面開口部に開閉可能に設けた扉とを有する電気機器収納箱であって、前記左右側板、底板、天板、背板の各板体は、隣接する板体と連結するための係止手段を有し、当該係止手段を、連結する一方の板体に設けられ、係止凹部を有する第１係止手段と、連結する他方の板体に設けられ、前記係止凹部に挿入する係止凸部を有する第２係止手段とで構成すると共に、双方の係止手段を、板体連結辺の略全長に形成し、前記係止凹部、係止凸部の少なくとも一方に弾性を持たせて弾性作用により挿脱可能に係止することを特徴とする。
この構成により、板体同士をネジ等の連結具を用いることなく連結でき、箱本体を容易に組み立てできる。また、連結辺の略全長に亘り係止手段を設けることで、板体を堅牢にでき、別途補強部材を設ける必要が無いし、組み立てた箱体も堅牢なものとなる。そして、分解できるためリサイクルし易い。
【０００７】
請求項２の発明は、請求項１に記載の発明において、第１係止手段は、第２係止手段を挿入する開口部を備えた断面コ字状の枠体と、前記開口部から枠体内部方向に断面Ｓ字状に延設した第１弾性片とを有し、第２係止手段は、前記開口部に挿入する挿入片と、該挿入片の先端から折り返して挿入片基部に向けて前記第１弾性片に係合するよう曲面を設けた第２弾性片とを有して成ることを特徴とする。
この構成により、第１係止手段、第２係止手段共に板体端部を折り曲げて板体に一体に形成することができ、係止手段を容易に作製できる。また、枠体及び弾性片を設けることで、板体を堅牢にできる。
【０００８】
請求項３の発明は、請求項２に記載の発明において、背板と左右側板との連結部は、背板に第１係止手段を設け、側板に第２係止手段を設けて成り、第１係止手段は、背板に平行な側方に向けて開口部を有するよう形成し、第２係止手段は、側板端部を直角に折り曲げて側方に向けて形成したことを特徴とする。
この構成により、側板と背板は背板を左右方向から背板に押圧する簡易な操作で連結できる。また、背板に形成した第１係止手段の枠体端部を側板に当接させるよう形成すれば側板のふらつきを無くすことができ、その後の底板や天板の連結がし易くなる。
【発明の効果】
【０００９】
本発明によれば、板体同士をネジ等の連結具を用いることなく連結でき、箱本体を容易に組み立てできる。そして、容易に分解できるためリサイクルし易い。
また、連結辺の略全長に亘り枠状に係止手段を設けることで、板体を堅牢にでき、別途補強部材を設ける必要が無くなるし、板体を組み合わせるだけで堅牢な箱体を形成できる。
【発明を実施するための最良の形態】
【００１０】
以下、本発明を具体化した実施の形態を、図面に基づいて詳細に説明する。図１は本発明に係る電気機器収納箱の一例を示す箱本体の分解説明図であり、１は背板、２ａは左側板、２ｂは右側板、３は底板、４は天板であり何れも長方形等の矩形形状を有している。箱本体６はこれらの板体を連結して前面を開放して形成され、電気機器収納箱はこの箱本体６の開放された前面に図示しない扉を設置して開閉可能に構成される。各板体同士は、夫々の板体に設けた係止手段同士を係止させて連結され、箱本体６は別途連結手段を使用せずに組み立てられる。
【００１１】
図２〜図４は背板１と周囲の各板体との連結構造を示す連結部の断面説明図であり、図２は背板１と右側板２ｂとの連結構造、図３は背板１と底板３との連結構造、図４は背板１と天板４との連結構造を示している。また、図５〜図８は、図１のＡ〜Ｄ各部の拡大図を示し、図５は背板１の上端要部斜視図、図６は背板１の下端要部斜視図、図７は底板の要部斜視図、図８は側板の要部斜視図であり、各連結部の具体的形状を示している。尚、背板１と左側板２ａとの連結構造と、背板１と右側板２ｂとの連結構造とは対称形状であり、同一であるため、以下右側板２ｂを用いて側板連結部を説明する。
【００１２】
図２、図５及び図８の側板要部斜視図に示すように、背板１と右側板２ｂとの連結部は、背板１に係止凹部を有する雌型の第１係止手段１０を設け、右側板２ｂには係止凸部を有する雄型の第２係止手段１１を設けて構成されている。
第１係止手段１０は、背板１の側辺に形成され、背板１形成面に平行な側方に開口部１２ａを設けた断面コ字状の筒体１２を配置し、その開口端部から筒体１２内部に弾性を有する断面Ｓ字状の第１弾性片１３を設けて係止凹部を形成している。この筒体１２及び第１弾性片１３は背板１の側辺のほぼ全長に亘り連続形成され、双方とも背板１側部を折り曲げて一体に形成されている。
【００１３】
一方、右側板２ｂに形成された第２係止手段１１は、右側板２ｂの後端部に上下方向に形成され、側板形成面から左側に９０度折り曲げて背板１に平行となるよう形成した挿入片１５と、挿入片１５の先端から前側に折り曲げると共に挿入片１５基部に向けて形成した第２弾性片１６とで係止凸部を形成している。この第２弾性片１６は上記第１弾性片１３に係合するよう曲面を設けて弾性を有するよう形成されている。挿入片１５、第２弾性片１６共に側板後端部のほぼ全長に亘り連続形成され、右側板２ｂを折り曲げて一体に形成されている。
【００１４】
また、図３、図６及び図７に示すように、背板１と底板３との連結部は、背板１下辺に上述する第１係止手段１０が設けられ、底板３の奧辺に第２係止手段１１が設けられて構成されている。何れも夫々の板体の連結辺のほぼ全長に亘り設けられている。
そして、図４、図５に示すように、背板１上辺には上述する雄型の第２係止手段１１が設けられ、対応する天板４奧辺には雌型の第１係止手段１０が設けられ、何れも連結辺のほぼ全長に亘り連続形成されている。但し、背板１の上辺に形成された第２係止手段１１は、背板１の本体との境界部位に壁板１７が折り曲げ形成され、挿入対象の天板４の筒体１２を受け止めるための面が設けられている。
【００１５】
尚、底板３と左右側板２ａ，２ｂとの連結部は、図７に示すように底板３に第２係止手段１１が設けられ、左右側板２ａ，２ｂには第１係止手段（図示せず）が設けられて連結されるし、天板４と左右側板２ａ，２ｂとの連結部は、図８に示すように左右側板２ａ，２ｂに第１連結手段１０が設けられ、天板４には第２係止手段（図示せず）が設けられて連結される。
【００１６】
上記係止手段を備えた板体は、次のように連結されて箱本体が組み立てられる。まず、図２に示すように、背板１に左右側板２ａ，２ｂが左右方向から夫々挿入され連結される。右側板２ｂは右方向から後部連結辺を背板１の連結辺に圧入操作することで、第１弾性片１３と第２弾性片１６の弾性係合作用により第１係止手段１０に第２係止手段１１がスムーズに挿入され、筒体１２の前面係合部１２ｂが左右側板２ａ，２ｂ裏面に当接し、互いに係止して連結される。連結後は、第１弾性片１３と第２弾性片１６の弾性係合作用、及び背板１の端部と挿入片１５の当接による係合作用により、左右側板２ａ，２ｂが回転してふらつくようなことがなく、その後の底板や天板の連結がし易くなる。こうして、側板と背板は背板を左右方向から背板に押圧する簡易な操作で連結できる。
【００１７】
次に、左右側板２ａ，２ｂを連結した背板１と底板３を連結する。背板１（及び左右側板２ａ，２ｂ）を底板３上方から押下操作することで、上述するように第１係止手段１０に第２係止手段１１が挿入され、背板１及び左右側板２ａ，２ｂの筒体１２の前面係合部１２ｂが底板上面に当接して背板１及び左右側板２ａ，２ｂが一気に底板３に連結される。
最後に天板４を連結する。天板４を背板１（及び左右側板２ａ，２ｂ）の上方から押下操作することで、同様に第１係止手段１０に第２係止手段１１が挿入され、背板１及び左右側板２ａ，２ｂが一気に天板４に連結される。尚、底板３と天板４の連結手順は逆でも良い。
【００１８】
このように、板体同士をネジ等の連結具を用いることなく直接連結でき、箱本体を容易に組み立てできるし、分解も可能でありリサイクルし易い。
また、連結辺の略全長に亘り係止手段を枠状等折り曲げ形成することで、板体を堅牢にでき、別途補強部材を設ける必要が無くなるし、板体を組み合わせるだけで堅牢な箱体を形成できる。
更に、第１係止手段、第２係止手段共に板体端部を折り曲げて板体に一体形成することが可能であり、プレス成形により係止手段を容易に作製できる。
【００１９】
尚、上記実施形態では、背板１の左右辺及び下辺に雌型の第１係止手段１０を設け、上辺に雄型の第２係止手段１１を設けているが、各辺に設ける係止手段は、雄型、雌型の何れでも良く、対応する板体の係止手段と対を成すよう設ければ良い。
また、係止手段は連結辺のほぼ全長に亘り連続形成しているが、両端部等部分的に設けても良いし、第１係止手段１０及び第２係止手段１１の双方に弾性を持たせているが、一方のみが弾性を有していれば互いに係止させることができる。
また、第１係止手段１０と第２係止手段１１のみで各板体を連結しているが、他の形状の係止手段を併用して箱本体を組み立てても何ら問題ない。例えば、背板と側板との連結は、双方に筒状の連結部を設けて上下方向に挿入操作して連結する構造を採用しても良い。
【図面の簡単な説明】
【００２０】
【図１】本発明に係る電気機器収納箱の実施形態の一例を示す箱本体の分解説明図である。
【図２】背板と右側板の連結構造を示す断面説明図であり、（ａ）は連結前、（ｂ）は連結後を示している。
【図３】背板と底板の連結構造を示す断面説明図であり、（ａ）は連結前、（ｂ）は連結後を示している。
【図４】背板と天板の連結構造を示す断面説明図であり、（ａ）は連結前、（ｂ）は連結後を示している。
【図５】図１Ａ部の拡大図である。
【図６】図１Ｂ部の拡大図である。
【図７】図１Ｃ部の拡大図である。
【図８】図１Ｄ部の拡大図である。
【符号の説明】
【００２１】
１・・背板、２ａ・・左側板、２ｂ・・右側板、３・・底板、４・・天板、６・・箱本体、１０・・第１係止手段、１１・・第２係止手段、１２・・筒体、１２ａ・・開口部、１３・・第１弾性片、１５・・挿入片、１６・・第２弾性片。
【図１】
0004690186.tif 000002
【図２】
0004690186.tif 000003
【図３】
0004690186.tif 000004
【図４】
0004690186.tif 000005
【図５】
0004690186.tif 000006
【図６】
0004690186.tif 000007
【図７】
0004690186.tif 000008
【図８】
0004690186.tif 000009